(57)【特許請求の範囲】
【請求項１】
バキューム装置を備えて汚染された室内の空気とともに粉塵を吸引する排気排塵装置であって、
前記バキューム装置と連通する床面吸引口が対象室内の床面の中央に一つ、又は間隔をおいて複数設けられ、
前記床面吸引口は、前記床面の下に設けられた床下フードを有し、
前記床下フードは、対象室内の床面をフランジとしており、
前記バキューム装置は、歯の治療時に飛散する飛散物質を吸引する口腔外バキュームのバキューム装置を兼用し、前記口腔外バキュームが稼働した場合に前記床面吸引口からの吸引を直ちに停止するように制御されること
を特徴とする排気排塵装置。
【請求項２】
前記バキューム装置と前記床面吸引口との間には、排気経路を遮断可能なシャッター機構が設けられ、
前記シャッター機構は、筐体を有し、その筐体の側面に側面開口が設けられ、前記シャッター機構は、前記側面開口を閉塞して排気経路を遮断できる構成となっていること
を特徴とする請求項１に記載の排気排塵装置。
【請求項３】
前記床面吸引口は、異物の吸い込みを防止する異物吸込防止網及び異物の吸い込みを防止する有孔蓋のいずれか一方又は両方を有すること
を特徴とする請求項１又は２に記載の排気排塵装置。
【請求項４】
前記口腔外バキュームが停止された後、直ちに前記床面吸引口からの吸引の稼働準備に入り、一定の準備時間経過後、前記床面吸引口からの吸引を一定時間行うように制御されること
を特徴とする請求項１ないし３のいずれかに記載の排気排塵装置。
【発明の詳細な説明】
【技術分野】
【０００１】
本発明は、空気中を漂う粉塵等を効果的に除去可能な排気排塵装置に関し、より詳細には、歯科医院等で用いられる歯科用口腔外バキューム装置を利用した排気排塵装置に関するものである。
【背景技術】
【０００２】
従来、歯科医院では、エアータービンで駆動される回転切削器具を用いて、う蝕に罹患した歯質を除去することが行われている。しかし、歯のう蝕部分を切削することにより、歯の切削紛や病原菌やバクテリアなどが付着した微粒子を飛散させることとなり、診療環境の空気汚染の主な原因となることが知られている。飛散した歯の切削紛や病原菌やバクテリアなどが付着した微粒子は、ミクロン単位を下回るような細かな粒子となり、空気中を浮遊した上で比較的長い時間をかけて床面に落下する。
【０００３】
このため、床面から３０ｃｍ程の空気層には、それらの汚染された微粒子が高密度で存在することが知られている。また、それらの微粒子は、人が歩く動作などで撹拌され、再び舞い上がり、さらなる２次汚染を引き起こすことも知られている。また、歯科診療に限られず、他の医療現場においても、飛散する粒子の種類は異なるものの、同様のメカニズムで汚染された微粒子が対流することが知られている。
【０００４】
例えば、特許文献１には、吸引装置と連通した上下、左右及び前後に揺動可能なアダプターに吸引フードを脱着自在に取付けてなる汚染防止装置において、吸引フードの形状が先端部において円形であり、基部において方形であり、アダプター先端部内面に支持体を脱着自在に固定し、該支持体上に滅菌剤を含浸させたフィルター部材及び上記吸引フードを装着するとともに、アダプターと吸引装置を連結するパイプの少なくとも１箇所に、２個の連結手段により脱着可能な滅菌帯を設け、該滅菌帯内に滅菌剤を含浸し、通気抵抗の小さいフィルター部材を挿入した汚染防止装置が開示されている（特許文献１の特許請求の範囲の請求項１、明細書の段落［００２４］〜［００３４］、図面の図１等参照）。
【０００５】
また、特許文献２には、患者の口腔近傍に移動自在に配置される吸気口１１と、該吸気口１１及び該吸気口に連続する排気管１２とを有し、前記吸気口１１を患者の口腔付近に移動させて、患者の口腔近傍に飛散している浮遊物を吸引排出する吸気口１１にセンサ２１を具備し、該吸気口１１が患者の口腔近くに来た時に、該センサ２１によりバキューム装置を作動し、患者の口腔付近の汚染空気を吸引，排除する歯科用口腔外バキューム装置が開示されている（特許文献２の特許請求の範囲の請求項１、明細書の段落［００１２］〜［００１５］、図面の図１等参照）。
【０００６】
しかし、特許文献１に記載の汚染防止装置や特許文献２に記載の歯科用口腔外バキューム装置は、患者の口腔付近から直接バキューム装置で吸引することのみを考慮しており、空気中を浮遊した上で比較的長い時間をかけて床面に落下する飛散した歯の切削紛やバクテリアが付着した微粒子を考慮したものではなく、前述の問題を解決できるものではなかった。
【０００７】
一方、特許文献３には、空調ユニット２に連通接続された吹出口２１が空調対象空間の天井部１２に設けられ、空調ユニット２に連通接続された偏平状の還気ダクト２５が、空調対象空間の側壁面に沿わせて、空調対象空間の天井部１２から床部１３にわたるように設けられ、その還気ダクト２５の下部に、その横幅方向全幅又は略全幅にわたる状態で吸込口２２が形成されている空調設備が開示されている（特許文献３の特許請求の範囲の請求項１、明細書の段落［０００８］〜［００１２］、図面の図１，図２等参照）。
【０００８】
さらに、特許文献４には、病室の天井内に天井面から下方に向けて給気する空調機ユニット２と、患者のベッド下に周囲の空気を吸引して横方向に排気する中継ユニット（Ｔ１等）と、病室の壁に沿って下部に吸引口３ａを有するダクトパネル３を設置し、空調機ユニット２は、空調機２０の給気側にＨＥＰＡフィルタ２２を、吸引側に外気とダクトパネル３とに連通する還気チャンバ２１を設け、空調機ユニット２と中継ユニットとを協働させて、ＨＥＰＡフィルタを通過して無菌・清浄化した空気を天井面からベッドに向けた下降層流として供給し、吸引口からベッド下周囲の空気を吸引して前記還気チャンバに還流させる垂直層流タイプの無菌病室が開示されている（特許文献４の特許請求の範囲の請求項１、明細書の段落［００２７］〜［００３７］、図面の図１〜図４等参照）。
【０００９】
しかし、特許文献３に記載の空調設備や特許文献４に記載の無菌病室は、特許文献４に記載されているように、清浄度ＩＳＯ Ｃｌａｓｓ５という高度に無菌化された病室についての発明であり、歯科医院等で用いられる歯科用口腔外バキューム等に求められている前述の課題を解決することを念頭に置いているものではなかった。また、特許文献３に記載の空調設備や特許文献４に記載の無菌病室は、前述の問題を解決できるとしても極めて高価で大型な装置となるものであり、そのまま歯科医院等で導入できるものではなかった。
【先行技術文献】
【特許文献】
【００１０】
【特許文献１】特開平７−８８１１９号公報
【特許文献２】特開平８−１４１００５号公報
【特許文献３】特開平５−３３９９６号公報
【特許文献４】特開２０１３−２５３７６１号公報
【発明の概要】
【発明が解決しようとする課題】
【００１１】
そこで、本発明は、上述した問題に鑑みて案出されたものであり、その目的とするところは、歯科医院等に導入可能な小型で安価な装置であるとともに歯の切削紛や病原菌やバクテリアが付着した微粒子を効果的に除去可能な排気排塵装置を提供することにある。
【課題を解決するための手段】
【００１２】
請求項１に係る排気排塵装置は、バキューム装置を備えて汚染された室内の空気とともに粉塵を吸引する排気排塵装置であって、前記バキューム装置と連通する床面吸引口が対象室内の床面の中央に一つ、又は間隔をおいて複数設けられ、前記床面吸引口は、前記床面の下に設けられた床下フードを有し、前記床下フードは、対象室内の床面をフランジとしており、前記バキューム装置は、歯の治療時に飛散する飛散物質を吸引する口腔外バキュームのバキューム装置を兼用し、前記口腔外バキュームが稼働した場合に前記床面吸引口からの吸引を直ちに停止するように制御されることを特徴とする。
【００１４】
請求項２に記載の排気排塵装置は、請求項１に記載の排気排塵装置において、前記バキューム装置と前記床面吸引口との間には、排気経路を遮断可能なシャッター機構が設けられ、前記シャッター機構は、筐体を有し、その筐体の側面に側面開口が設けられ、前記シャッター機構は、前記側面開口を閉塞して排気経路を遮断できる構成となっていることを特徴とする。
【００１５】
請求項３に記載の排気排塵装置は、請求項１又は２に記載の排気排塵装置において、前記床面吸引口は、異物の吸い込みを防止する異物吸込防止網及び異物の吸い込みを防止する有孔蓋のいずれか一方又は両方を有することを特徴とする。
【００１６】
請求項４に記載の排気排塵装置は、請求項１〜３のいずれかに記載の排気排塵装置において、前記口腔外バキュームが停止された後、直ちに前記床面吸引口からの吸引の稼働準備に入り、一定の準備時間経過後、前記床面吸引口からの吸引を一定時間行うように制御されることを特徴とする。
【発明の効果】
【００１７】
請求項１〜３に記載の発明によれば、床面吸引口が設けられているので、空気中を浮遊した上で比較的長い時間をかけて床面に落下する飛散した歯の切削紛や微粒子を効果的に除去することができる。このため、微粒子における細菌やバクテリアの増殖を効果的に防止して２次汚染を防ぐことができる。また、開院前にバキューム装置を稼働させて、前日に床面に舞い降りた粉塵等を除去するなど、バキューム装置を常時稼働させる必要がなく、歯科医院等に導入可能な小型で安価な装置とすることができる。
また、請求項１〜４に記載の発明によれば、床面吸引口は、床下フードを有するので、バキューム装置を常時稼働させなくても、途中まで吸引した粉塵を床下フードで収納しておくことができる。このため、常時バキューム装置を稼働させることなく、途中まで吸引した粉塵が人が歩く動作などで撹拌され、再び舞い上がり、さらなる２次汚染を引き起こすことを防止することができる。
その上、請求項１〜３に記載の発明によれば、歯科医院等に通常備え付けられている口腔外バキュームのバキューム装置により、空気中を浮遊した上で比較的長い時間をかけて床面に落下する飛散した歯の切削紛やバクテリアが付着した微粒子を効果的に除去することができる。よって、新たなバキューム装置などの吸引装置を別途設ける必要がなくなる。
それに加え、請求項１〜３に記載の発明によれば、口腔外バキューム装置を用いて歯牙切削や金属切削を行った後、タイマー装置やリレー装置などを用い、本発明に係る排気排塵装置を口腔外バキューム装置と電気的に連動させることができる。よって、請求項１〜３に記載の発明によれば、床面吸引により、床面に落下した粉塵等の発生を、その都度、効果的に除去することができ、前述の２次汚染の問題を効果的に解消して、微粒子における細菌やバクテリアの増殖を防止することができる。
【００１９】
特に、請求項２に記載の発明によれば、排気経路を遮断可能なシャッター機構が設けられているので、床に物を落とした場合でも、直ぐにシャッター機構で排気経路を遮断することができる。また、バキューム装置の吸引力を口腔外バキュームなどの他の装置に切り替えることが可能となり、排気排塵装置の稼働効率を上げてランニングコスト等を下げて費用効率を向上させることができる。
【００２０】
特に、請求項３に記載の発明によれば、異物吸込防止網や有孔蓋により落下した義歯などの異物が床下吸引口に吸い込まれることを防止することができる。
【図面の簡単な説明】
【００２３】
【図１】図１は、本発明の第１実施形態に係る排気排塵装置を設置した室内を示す斜視図である。
【図２】図２は、同上の排気排塵装置の床面吸引口の構成を示す斜視図である。
【図３】図３は、同上の排気排塵装置の床面吸引口における空気の流れを示す図である。
【図４】図４は、本発明の第２実施形態に係る排気排塵装置を設置した室内を示す斜視図である。
【図５】図５は、本発明の第３実施形態に係る排気排塵装置を設置した歯科医院の治療室内を示す正面斜視図である。
【図６】図６は、同上の排気排塵装置の床下配管を主に示す底面斜視図である。
【図７】図７は、口腔外バキュームユニットとフロアサクションとの連動を示す図である。
【発明を実施するための形態】
【００２４】
以下、本発明に係る排気排塵装置を実施するための一実施形態について、図面を参照しながら詳細に説明する。
【００２５】
［第１実施形態］
先ず、図１，図２を用いて、本発明の第１実施形態に係る排気排塵装置１について説明する。図１は、本発明の第１実施の形態に係る排気排塵装置を設置した室内を示す斜視図である。また、図２は、排気排塵装置１の床面吸引口の構成を示す斜視図である。
【００２６】
先ず、図１を用いて、本発明の第１実施形態に係る排気排塵装置１を設置する対象となる部屋を簡単に説明する。図１は、図示するものの構成が分かり易いように天井や一部の壁を部分的に省略して示している。図１に示すように、排気排塵の対象となる部屋Ｒ１は、四方（図示は三方のみ）に壁Ｗ１が設置された平面視矩形の部屋（室）であり、コンクリートスラブＳ１の上にＯＡフロアーなどの置床が設置されて床面Ｆ１が形成されている。
【００２７】
また、図１に示すように、本発明の第１実施形態に係る排気排塵装置１は、この部屋Ｒ１の外に設置された排気ユニット２と、これらの機器の漏電ブレーカーや制御ユニットが設けられた分電盤３など、を備えている。この排気ユニット２は、図示しないバキューム装置２０を備えて部屋Ｒ１の汚染された室内の空気とともに粉塵を吸引する機能を有している。また、排気ユニット２のバキューム装置２０は、対象室である部屋Ｒ１内の床面Ｆ１に設けられた床面吸引口４と、配管５で接続されて連通している。
【００２８】
＜排気ユニット＞
（バキューム装置）
バキューム装置２０は、図示しない排気ファンを有し、建築基準法に合致した０．３回／ｈ以上の換気能力を有する機械換気設備であり、部屋Ｒ１内の床面吸引口４から空気とともに粉塵を吸引して外気に排気する。このバキューム装置２０は、一吸引口につき、少なくとも２ｍ3／分以上、好ましくは３ｍ3／分以上の吸引力能力を有していることが望ましいい。
【００２９】
また、壁Ｗ１には、図示しない給気口が設けられ、自然給気により外気を部屋Ｒ１内に給気可能な構成となっている。勿論、空調機により、外気と部屋Ｒ１の排気から戻ってくるリターン空気とを混合して給気する機械給気としてもよいことは云うまでもない。
【００３０】
（ＨＥＰＡフィルタ）
また、外気と部屋Ｒ１の排気から戻ってくるリターン空気とを混合して給気する場合は、ＨＥＰＡフィルタ(High Efficiency Particulate Air Filter)又はＵＬＰＡフィルタ（Ultra Low Penetration Air Filter）を設けることが好ましい。病原菌やバクテリアなどが付着した微細粒子を捕集してリターンし、部屋Ｒ１に給気する空気を無菌・清浄化することができるからである。
【００３１】
ここで、ＨＥＰＡフィルタとは、定格風量で粒径が０．３μｍの粒子に対して９９．９７％以上の粒子捕集率を持ち、かつ初期圧力損失が２４５Ｐａ以下の性能を持つエアフィルタのことを指している。また、ＵＬＰＡフィルターとは、定格風量で０．１５μｍの粒子に対して９９．９９９５以上の捕集効率を持ち、かつ初期圧力損失が２４５Ｐａ以下の性能を持つエアフィルタのことを指している。
【００３２】
＜床面吸引口＞
次に、図２を用いて、床面吸引口４について詳細に説明する。図２に示すように、床面吸引口４は、床面Ｆ１に開口して床下に設けられる床下フード４０と、この床下フード４０と連通する排気経路を遮断可能なシャッター機構４１と、これらを繋ぐ連結パイプ４２など、から構成されている。
【００３３】
この床下フード４０は、図２に示すように、乱気流を抑えて効率良く吸引可能とする整流機能を有した平面視矩形のフランジ付きのフラットフードであり、床面Ｆ１下に埋設された床下フードとなっている。このため、床面が床下フード４０のフランジになるフランジ効果により、汚染粒子が高密度で存在する床面Ｆ１から３０ｃｍ程の空気層を効率よく吸引して排気することができる。
【００３４】
また、この床下フード４０には、床下フード４０上を歩行可能とするとともに、床に落下した落下物が床下フード４０内に入り込むのを防止する床面吸引口４を覆う覆い板４３が設置されている。この覆い板４３は、各辺に沿って細長い長方形状の周辺に空気が通過できる矩形孔４３ａが配置され、中央部分が塞がれていることを特徴とする。また、この覆い板４３の設置高さは、床面Ｆ１と同じかより低い位置となっている。この覆い板４３の閉塞された中央部分と床下フード４０を併せた空間でチャンバ効果により、強い負圧空間が出現し、強い吸引力を創り出し、図３に示すように、空気の流れを効率的に創り出すことができる。これにより前出のフランジ効果と相まって、床面に落下する切削片固体や汚染粒子を効率よく除去することが可能となる。
【００３５】
（シャッター機構）
シャッター機構４１は、金属製の有底蓋付きの円筒状の筐体４１０の側面に配管５を挿通するための円形状の側面開口４１ａが形成されているとともに、蓋部４１１に連結パイプ４２を挿通するための上面開口（図示せず）が形成されている。
【００３６】
このシャッター機構４１は、電動でシャッター（図示せず）を開閉自在なシャッター機構であり、有線又は無線で接続されたコントローラーの信号により側面開口４１ａ又は上面開口を閉塞して、直ちに排気経路を遮断できる構成となっている。このため、床面Ｆ１に誤って物を落とした場合でも、直ぐにシャッター機構４１で排気経路を遮断することができ、落下物が吸引されることを防ぐことができる。
【００３７】
また、図２に示すように、連結パイプ４２の上部（上端付近）には、金属製の異物吸込防止網４４が挿置されており、異物吸込防止網４４でも落下物が吸引されることを防ぐことができる。この異物吸込防止網４４の網目の間隔は、覆い板４３の孔４３ａの直径よりも小さいものとなっており、孔４３ａを通過して床下フード４０内に落下した小さな落下物が配管５まで吸引されることを防止することができる。
【００３８】
前述のように、従来、床面から３０ｃｍ程の空気層には、汚染粒子が高密度で存在することが知られていた。しかし、床面に吸引口を設けることは行われていなかった。その理由は、人が長時間滞在する居室では、床の上を人が歩行したり、物を落としたりする可能性があり、床面に吸引口があると不都合があるからと推測される。また、壁面の下部に吸引口が設けられていれば同様の効果が得られると考えられていたからと推測される。
【００３９】
後述のように歯科医院では、細菌が多数存在するおそれがある飛散した歯の切削紛が問題となっており、この歯の切削紛は、比重が重く微粒子であるが故、飛散するが、一度落下すると、横方向に吸引する場合、効果的に排塵することができないという問題があった。また、排気により微粒子が再び舞い上がり、２次汚染のおそれもあった。
【００４０】
＜配管＞
配管５は、主にコンクリートスラブＳ１と床面Ｆ１との間の配管スペースに設置された一般的な塩ビパイプであり、内径がφ５０ｍｍやφ６５ｍｍ程度のＶＵ管やＶＰ管が安価に入手可能であるため好適に用いられる。勿論、配管５は、塩ビパイプに限られず、通気可能な鋳鉄管や他の管材であっても良いことは云うまでもない。また、配管５の径なども、排気排塵装置１を設置する部屋Ｒ１の容積や用途に応じた換気量に応じて適宜設定すればよい。
【００４１】
以上説明した第１実施形態に係る排気排塵装置１によれば、床面吸引口が設けられているので、空気中を浮遊した上で比較的長い時間をかけて床面Ｆ１に落下する微粒子を効果的に除去することができる。
【００４２】
また、排気排塵装置１によれば、床下フード４０を有するので、バキューム装置２０を常時稼働させなくても、途中まで吸引した粉塵を床下フード４０で収納しておくことができる。このため、常時バキューム装置２０を稼働させることなく、途中まで吸引した粉塵が人が歩く動作などで撹拌され、再び舞い上がり、さらなる２次汚染を引き起こすことを防止することができる。
【００４３】
一般的な空気清浄機などで入れ替えられる環境空気は、その３分の１程度が残存してしまい効率よく入れ替えられないとされている。しかし、排気排塵装置１によれば、重力や上部の吸引口から床面吸引口４へ吹き下ろす上から下への常流の影響により効率的に室内の環境空気を入れ替えることができる。例えば、１０坪（およそ８２．５ｍ3）の容量の室内空間であれば、４０分あまりで入れ替え可能である。
【００４４】
その上、排気排塵装置１によれば排気経路を遮断可能なシャッター機構４１が設けられているので、床に義歯などの物を落とした場合でも、直ぐにシャッター機構４１で排気経路を遮断することができる。また、バキューム装置２０の吸引力を他の装置に切り替えることが可能となり、排気排塵装置１の稼働効率を上げてランニングコスト等を下げて費用効率を向上させることができる。
【００４５】
［第２実施形態］
次に、図４を用いて、本発明の第２実施形態に係る排気排塵装置１’について説明する。図４は、本発明の第２実施形態に係る排気排塵装置を設置した室内を示す斜視図である。第２実施形態に係る排気排塵装置１’が、前述の排気排塵装置１と相違する点は、排気排塵装置１の構成に加え、壁面吸引口６がさらに設けられている点だけなので、その点について説明し、同一構成は同一符号を付し、説明を省略する。
【００４６】
壁面吸引口６は、対象室である部屋Ｒ１内の壁Ｗ１の最下部となる床面Ｆ１と接する部分に設けられ、矩形状の壁面フードを有した吸引口である。この壁面吸引口６は、汚染粒子が高密度で存在する床面Ｆ１から３０ｃｍ程の空気層の粉塵等を効率的に吸引して排塵する機能を有している。
【００４７】
また、この壁面吸引口６は、前述の配管５と同様の配管５’で前述の排気ユニット２に接続され、排気ユニット２のバキューム装置２０で床面Ｆ１と壁Ｗ１との入隅付近の周囲空気を粉塵とともに吸引可能に構成されている。
【００４８】
以上説明した第２実施形態に係る排気排塵装置１’によれば、前述の床面吸引口４に加え、壁面吸引口６が設けられているので、床面中央付近に落下した微粒子だけでなく、壁Ｗ１の床面Ｆ１と接する入隅に降り積もった粉塵も効果的に除去することができる。このため、排気排塵装置１’によれば、排気排塵装置１と比べてもさらに効率よく汚染された微粒子を効率的に排除することができる。
【００４９】
［第３実施形態］
次に、図５，図６を用いて、本発明の第３実施形態に係る排気排塵装置１”について説明する。図５は、本発明の第３実施形態に係る排気排塵装置を設置した歯科医院の治療室内を示す正面斜視図であり、図６は、排気排塵装置１”の床下配管を主に示す底面斜視図である。なお、前述の排気排塵装置１や排気排塵装置１’と同一構成は、同一符号を付し説明を省略する。
【００５０】
図５，図６に示すように、第３実施形態に係る排気排塵装置１”は、本発明を歯科医院の治療室Ｒ１’に適用した実施形態である。この治療室Ｒ１’には、患者用のリクライニングシート７と、歯の削りかす、金属片、血液、細菌などの飛散した目に見えない細かい粉塵（飛散物質）を吸引して排塵する口腔外バキュームである口腔外バキュームユニット８など、が備えられている。
【００５１】
第３実施形態に係る排気排塵装置１”は、前述の床面吸引口４が、リクライニングシート７及び口腔外バキュームユニット８の脇に、それらの数に応じて複数個設けられている。
【００５２】
そして、第３実施形態に係る排気排塵装置１”では、各床面吸引口４が前述の配管５，５’と同様の配管５”で連結された上、バキューム装置２０を備えた排気ユニット２に接続されている。つまり、排気ユニット２のバキューム装置２０は、口腔外バキュームである口腔外バキュームユニット８のバキューム装置と、排気排塵装置１”のバキューム装置を兼用している。
【００５３】
このため、第３実施形態に係る排気排塵装置１”によれば、歯科医院等に通常備え付けられている口腔外バキュームユニット８のバキューム装置により、空気中を浮遊した上で比較的長い時間をかけて床面に落下する飛散した歯の切削紛やバクテリアや病原菌が付着した微粒子を効果的に除去することができる。よって、新たなバキューム装置などの吸引装置を別途設ける必要がなくなるだけでなく、二次感染の大幅に恐れを低減することができる。
【００５４】
なお、第３実施形態に係る排気排塵装置１”は、排気排塵装置１と同様に、排気ユニット２には、ＨＥＰＡフィルタ又はＵＬＰＡフィルタを設けることが好ましい。歯科医院等の治療室では、病原菌やバクテリアなどが付着した微細粒子が空気とともに戻ってきた場合、二次感染等のおそれがあるからである。
【００５５】
次に、図７を用いて、口腔外バキュームユニット８と排気排塵装置１”のバキューム装置との連動の一実施形態を説明する。図７は、口腔外バキュームユニット８とフロアサクションとの連動を示す図である。図中では、複数の口腔外バキュームユニット８を口腔外バキュームユニット１，２，３と表記し、排気排塵装置１”のバキューム装置をフロアサクション１，２，３と表記している。
【００５６】
図７に示すように、各口腔外バキュームユニットは、歯科治療に応じて稼働されるため、任意の稼働時間となる。また、フロアサクションは、口腔外バキュームユニットの稼働が停止した後、直ちに稼働準備に入り、一定時間稼働する設定となっている。例えば、図示形態では、フロアサクションの準備時間を１０秒に設定し、稼働時間を３０秒に設定している。
【００５７】
このため、通常は、（１）〜（３）の間、口腔外バキュームユニットの１台が稼働した後停止したとすると、（３）〜（４）で、フロアサクションは、１０秒間稼働準備を行い、（５）〜（７）の間３０秒稼働して停止する。
【００５８】
しかし、図７の（８）〜（１３）に示すように、別の口腔外バキュームユニットの１台が稼働した後、フロアサクションが、１０秒間稼働準備を行い、その後、所定時間（３０秒）経過前の稼働している途中に他の口腔外バキュームユニットが稼働した場合、当該フロアサクションは、直ちに稼働を停止する（図７の（１４）参照）。
【００５９】
また、同様に、図７の（１８）に示すように、口腔外バキュームユニットの１台が稼働を停止した後、フロアサクションが稼働準備に入っている状態で、他の口腔外バキュームユニットの１台が稼働された場合でも、当該フロアサクションは、直ちに稼働を停止する。
【００６０】
そして、図７の（１８）〜（２２）に示すように、複数の口腔外バキュームユニットが一定期間（準備１０秒＋稼働３０秒）の間、停止されている場合は、原則の通り、口腔外バキュームユニットの稼働が停止した後、直ちに１０秒間稼働準備に入り、３０秒間稼働する。勿論、秒数は、前述のように例示であって、排気排塵装置１”の規模や、口腔外バキュームユニット８の数等に応じて、適宜、設定すればよいことは云うまでもない。
【００６１】
以上説明したように、第３実施形態に係る排気排塵装置１”によれば、口腔外バキュームユニット８と排気排塵装置１”のバキューム装置との連動の運用により、口腔外バキュームユニットのバキューム装置の稼働の隙間時間を使って、効率良く歯の切削紛やバクテリアや病原菌が付着した微粒子を効果的に除去することができる。このため、新たなバキューム装置などの吸引装置を別途設ける必要がなくなるだけでなく、二次感染の大幅に恐れを低減することができる。
【００６２】
以上、本発明の実施形態に係る排気排塵装置１〜１”について詳細に説明したが、前述した又は図示した実施形態は、いずれも本発明を実施するにあたって具体化した一実施形態を示したものに過ぎない。よって、前述の実施形態により本発明の技術的範囲が限定的に解釈されてはならないものである。
【符号の説明】
【００６３】
１，１’，１”：排気排塵装置
２：排気ユニット
２０：バキューム装置
３：分電盤
４：床面吸引口
４０：床下フード
４１：シャッター機構
４１ａ：側面開口
４１０：筐体
４１１：蓋部
４２：連結パイプ
４３：覆い板
４３ａ：矩形孔
４４：異物吸込防止網
５，５’，５”：配管
６：壁面吸引口
７：リクライニングシート
８：口腔外バキューム
Ｒ１：部屋
Ｒ１’：治療室
Ｆ１：床面
Ｗ１：壁
Ｓ１：コンクリートスラブ
【要約】
【課題】歯科医院等に導入可能な小型で安価な装置であるとともに歯の切削紛や病原菌やバクテリアが付着した微粒子を効果的に除去可能な排気排塵装置を提供する。
【解決手段】バキューム装置２０を備えて汚染された室内の空気とともに粉塵を吸引する排気排塵装置１において、対象室Ｒ１内の床面Ｆ１にバキューム装置２０と連通する床面吸引口４を設ける。また、この床面吸引口４には、床面Ｆ１の下に設けられた床下フード４０を設ける。
【選択図】図１【図１】
0006828924.tif 000002
【図２】
0006828924.tif 000003
【図３】
0006828924.tif 000004
【図４】
0006828924.tif 000005
【図５】
0006828924.tif 000006
【図６】
0006828924.tif 000007
【図７】
0006828924.tif 000008